(57)【特許請求の範囲】
【請求項１】
自転車の軸、位置決め台、レバー、ボタン、ねじ、戻しばね及びナットを備えるボタン式で角度調整可能なクイックリリースであって、
前記軸は、適当な長さの中空ロッドであり、前記中空ロッドの中心部分には、貫通孔が設けられ、前記貫通孔の上端の内周の適当な位置には、Ｃ型環状溝が設けられ、前記中空ロッドの底端の外周には、前記ナットが螺合されるねじ山が設けられ、前記中空ロッドの上端の外周には、前記位置決め台及び前記レバーが嵌設され、前記レバーの内部には、前記ボタン、前記ねじ及び前記戻しばねが収容され、前記軸の上端には、外径が前記中空ロッドより若干大きい支持台係合リングが設けられ、前記支持台係合リングの上端には、外径がさらに大きいレバー係合リングが設けられ、前記レバー係合リングの上端には、歯車が設けられ、前記支持台係合リングと前記レバー係合リングとの間には、Ｃ型環状溝が設けられ、前記位置決め台の中心部分には、貫通孔が設けられ、前記貫通孔上には、ストッパ縁及びＣ型環状溝が設けられ、前記レバーは、中空の円筒体であり、前記円筒体の外周部分には、回動レバーが設けられ、前記円筒体の中心部分は、中空であり、収容溝が設けられ、前記収容溝の底端には、係合縁が凸設され、前記収容溝の中段の適当な位置には、内ラチェット歯が設けられ、前記内ラチェット歯の底端には、空転溝が設けられ、前記ボタンは、上端に凸ボタンが設けられ、中段部分にストッパリングが設けられ、底端にラチェット歯車が設けられ、前記ラチェット歯車の底面の中心部分には、歯孔が設けられ、前記凸ボタンの中心部分には、前記歯孔まで貫通するねじ孔が設けられ、前記ねじ孔と前記歯孔との交差部分には、押圧面が形成され、前記ねじは、前記戻しばね及びねじＣ型リングを貫通して前記中空ロッドの貫通孔内に収容される上、前記凸ボタンのねじ孔上に螺着され、前記ねじＣ型リングは、前記貫通孔内周のＣ型環状溝上に係合され、前記戻しばねの両端を前記ねじＣ型リングと前記ボタンの押圧面との間に位置規制することを特徴とするボタン式で角度調整可能なクイックリリース。
【請求項２】
前記ラチェット歯車が前記レバーの内ラチェット歯上に係合されている際、前記ボタンの歯孔内には、前記軸の歯車が挿設されており、この際、前記回動レバーを順方向又は逆方向に回転させると、前記レバー、前記ボタン及び前記軸が順方向又は逆方向に同期回転することを特徴とする請求項１記載のボタン式で角度調整可能なクイックリリース。
【請求項３】
前記ボタンを下方に押圧すると、前記ボタンのストッパリングが前記内ラチェット歯の上端を押圧し、前記ラチェット歯車が前記空転溝内に落下し、前記ボタンのラチェット歯車が前記レバーの内ラチェット歯から完全に離脱することを特徴とする請求項１記載のボタン式で角度調整可能なクイックリリース。
【発明の詳細な説明】
【技術分野】
【０００１】
本発明は、自転車のリアフォーク又はフロントフォーク等において、ボタン式で角度調整可能なクイックリリースに関し、特に、クイックリリースの軸を締め付ける際、レバー上のボタンを下方に押圧すると、ボタンのラチェット歯車が内ラチェット歯から離脱し、レバーを後方に空転させて回動レバーの角度を調整することができ、また、戻しばねを利用することによってレバーの内ラチェット歯にボタン上のラチェット歯車を係合すると、レバーの回動レバーを回転させてボタンに嵌合された軸を前方に回転させて締め付けることができ、これにより、レバーの回動レバーを締め付ける際、自転車のフロントフォーク又はリアフォークによって妨害されて軸の締め付けが完全でない状況が発生するのを防止することができ、軸を締め付けた後、ボタンを下方に押圧することにより、レバーの内ラチェット歯をボタン上に係合されたラチェット歯車から離脱させ、回動レバーを前後方向に空転させて任意の角度に調整することができるボタン式で角度調整可能なクイックリリースに関する。
【背景技術】
【０００２】
従来のクイックリリースは、自転車のリアフォーク又はフロントフォークに締め付ける際、まず、回動レバーを解放して軸と一直線にし、レバーを回転させることによって軸を回転させてナットに締め付ける。
軸を回転させてナットに締め付けた後、回動レバーを倒して軸と所定の角度の位置に係合する。しかし、レバーの回動レバーを回転させて締め付けた後に倒す際、自転車のリアフォーク又はフロントフォークによって妨害され、回動レバーを倒して軸と所定の角度の位置に係合できない場合がある。この場合、回動レバーを開いて軸と一直線にし、所定の角度回転させて軸から解放し、回動レバーを自転車のフロントフォーク又はリアフォークに当たらないようにした後、回動レバーを倒して軸と所定の角度の位置に係合する必要がある。
即ち、レバーを解放し、所定の角度回転させて軸から解放した後、再びレバーを係合する必要があるため、軸の締め付けが不完全となり、自転車の安全性に影響を及ぼす虞がある。
【先行技術文献】
【特許文献】
【０００３】
【特許文献１】特開２００２−１７３０７７号公報
【発明の概要】
【発明が解決しようとする課題】
【０００４】
本発明の目的は、自転車上に結合されるクイックリリースの軸を締め付ける際、レバー上のボタンを下方に押圧すると、ボタンのラチェット歯車が内ラチェット歯から離脱するため、レバーを後方に空転させて回動レバーの角度を調整することができ、また、戻しばねを利用することによってレバーの内ラチェット歯にボタンのラチェット歯車を係合させると、レバーの回動レバーを回転させてボタンに嵌合された軸を前方に回転させて締め付けることができ、レバーの回動レバーを固定する際、自転車のフロントフォーク又はリアフォークによって妨害され、軸の締め付けが不完全になる状況が発生するのを防止することができ、軸を締め付けて固定した後、ボタンを下方に押圧することによってレバーの内ラチェット歯からボタン上のラチェット歯車を離脱させ、回動レバーを前後に空転させて任意の角度に調整することができるボタン式で角度調整可能なクイックリリースを提供することにある。
【課題を解決するための手段】
【０００５】
上述の課題を解決するために、本発明のボタン式で角度調整可能なクイックリリースは、軸、位置決め台、レバー、ボタン、ねじ、戻しばね及びナットを含む。軸は、適当な長さの中空ロッドである。中空ロッドの中心部分には、貫通孔が設けられる。
貫通孔の上端の内周の適当な位置には、Ｃ型環状溝が設けられる。中空ロッドの底端の外周には、ナットが螺合されるねじ山が設けられる。中空ロッドの上端の外周には、位置決め台及びレバーが嵌設される。レバーの内部には、ボタン、ねじ及び戻しばねが収容される。軸の上端には、外径が中空ロッドより若干大きい支持台係合リングが設けられる。支持台係合リングの上端には、外径がさらに大きいレバー係合リングが設けられる。レバー係合リングの上端には、歯車が設けられる。支持台係合リングとレバー係合リングとの間には、Ｃ型環状溝が設けられる。
Ｃ型環状溝内には、位置決め台を係合するＣ型リングが設けられる。レバーと位置決め台との間には、ワッシャが設けられる。位置決め台の中心部分には、貫通孔が設けられる。貫通孔上には、ストッパ縁及びＣ型環状溝が設けられる。レバーは、中空の円筒体である。円筒体の外周部分には、回動レバーが設けられる。円筒体の中心部分は、中空であり、収容溝が設けられる。収容溝の底端には、係合縁が凸設される。収容溝の中段の適当な位置には、内ラチェット歯が設けられる。内ラチェット歯の底端には、空転溝が設けられる。
ボタンは、上端に凸ボタンが設けられ、中段部分にストッパリングが設けられ、底端にラチェット歯車が設けられる。ラチェット歯車の底面の中心部分には、歯孔が設けられる。凸ボタンの中心部分には、歯孔まで貫通するねじ孔が設けられる。ねじ孔と歯孔との交差部分には、押圧面が形成される。ねじは、戻しばね及びねじＣ型リングを貫通して中空ロッドの貫通孔内に収容される上、凸ボタンのねじ孔上に螺着される。ねじＣ型リングは、Ｃ型環状溝上に係合され、戻しばねの両端をねじＣ型リングとボタンの押圧面との間に位置規制する。
【発明の効果】
【０００６】
本発明のボタン式で角度調整可能なクイックリリースは、ボタンを下方に押圧すると、ボタンのラチェット歯車が内ラチェット歯から離脱するため、レバーを後方に空転させて回動レバーの角度を調整することができる。
また、戻しばねを利用することによってレバーの内ラチェット歯にボタンのラチェット歯車を係合させると、レバーの回動レバーを回転させ、ボタンに嵌合された軸を前方に回転させて締め付けることができる。これにより、レバーの回動レバーを固定する際、自転車のフロントフォーク又はリアフォークによって妨害され、軸の締め付けが不完全になる状況が発生するのを防止することができる。
また、軸を締め付けた後、ボタンを下方に押圧することによってレバーの内ラチェット歯からボタンのラチェット歯車を離脱させ、回動レバーを前後に空転させて任意の角度に調整することができる。
【図面の簡単な説明】
【０００７】
【図１】本発明のボタン式で角度調整可能なクイックリリースを示す斜視図である。
【図２】本発明のボタン式で角度調整可能なクイックリリースの主要部材及び部材の相対関係を示す分解斜視図である。
【図３】本発明のボタン式で角度調整可能なクイックリリースを示す断面図である。
【図４】本発明のボタン式で角度調整可能なクイックリリースのレバーが外側に引き出された状態を示す断面図である。
【図５】本発明のボタン式で角度調整可能なクイックリリースをフロントフォークに締め付けた後、レバーを外部に引き出し、回動レバーの角度を回転調整する状態を示す正面図である。
【図６】本発明のボタン式で角度調整可能なクイックリリースをリアフォークに締め付けた後、レバーを外部に引き出し、回動レバーの角度を回転調整する状態を示す側面図である。
【発明を実施するための形態】
【０００８】
本発明の詳細な構造、特徴及び他の目的を明確にし、当業者が実施できるようにするために、本発明の実施形態を図面に沿って詳細に説明する。
【０００９】
本発明の実施形態の自転車上に結合されるクイックリリースの軸を締め付ける際、ボタン式で角度調整可能なクイックリリースは、図１〜図６に示すように、以下に示す技術手段によって目的及び効果が実現される。
本発明の実施形態のボタン式で角度調整可能なクイックリリース１０は、軸２０、位置決め台３０、レバー４０、ボタン５０、ねじ６０、戻しばね７０及びナット８０を含む。軸２０は、適当な長さの中空ロッド２１である。中空ロッド２１の中心部分には、貫通孔２１１が設けられる。貫通孔２１１の上端の内周の適当な位置には、Ｃ型環状溝２１２が設けられる。中空ロッド２１の底端の外周には、ナット８０が螺合されるねじ山２１３が設けられる。中空ロッド２１の上端の外周には、位置決め台３０及びレバー４０が嵌設される。
レバー４０の内部には、ボタン５０、ねじ６０及び戻しばね７０が収容される。軸２０の上端には、外径が中空ロッド２１より若干大きい支持台係合リング２２が設けられる。支持台係合リング２２の上端には、外径がさらに大きいレバー係合リング２３が設けられる。レバー係合リング２３の上端には、歯車２５が設けられる。支持台係合リング２２とレバー係合リング２３との間には、Ｃ型環状溝２４が設けられる。
【００１０】
Ｃ型環状溝２４内には、位置決め台３０を係合するＣ型リング２４１が設けられる。レバー４０と位置決め台３０との間には、ワッシャ７５が設けられる。位置決め台３０の中心部分には、貫通孔３１が設けられる。貫通孔３１上には、ストッパ縁３２及びＣ型環状溝３３が設けられる。レバー４０は、中空の円筒体４１である。円筒体４１の外周部分には、回動レバー４１１が設けられる。円筒体４１の中心部分は、中空であり、収容溝４２が設けられる。収容溝４２の底端には、係合縁４３が凸設される。
収容溝４２の中段の適当な位置には、内ラチェット歯４４が設けられる。内ラチェット歯４４の底端には、空転溝４５が設けられる。ボタン５０は、上端に凸ボタン５１が設けられ、中段部分にストッパリング５２が設けられ、底端にラチェット歯車５３が設けられる。ラチェット歯車５３の底面の中心部分には、歯孔５４が設けられる。
凸ボタン５１の中心部分には、歯孔５４まで貫通するねじ孔５１１が設けられる。ねじ孔５１１と歯孔５４との交差部分には、押圧面５４１が形成される。ねじ６０は、戻しばね７０及びねじＣ型リング７１を貫通して中空ロッド２１の貫通孔２１１内に収容される上、凸ボタン５１のねじ孔５１１上に螺着される。ねじＣ型リング７１は、Ｃ型環状溝２１２上に係合され、戻しばね７０の両端をねじＣ型リング７１とボタン５０の押圧面５４１との間に位置規制する。
【００１１】
図３を参照して説明する。以上説明した構造により、本発明の実施形態の自転車上に結合されるクイックリリースの軸を締め付ける際に、ボタン式で角度調整可能なクイックリリース１０の組み立てが完了すると、戻しばね７０は、一方の端部がボタン５０の押圧面５４１を押圧し、他方の端部がねじＣ型リング７１を押圧する。これにより、凸ボタン５１は、レバー４０の収容溝４２から突出する。
また、ボタン５０のラチェット歯車５３がレバー４０の内ラチェット歯４４上に係合され、ボタン５０の歯孔５４内に軸２０の歯車２５が挿設される。この際、回動レバー４１１を順方向又は逆方向に回転させることにより、レバー４０、ボタン５０及び軸２０を正方向又は順方向に同期回転させることができる。これにより、軸２０の底端のねじ山２１３をナット８０に締め付けたり、緩めたりすることができる。
【００１２】
図４及び図５に示すように、ボタン式で角度調整可能なクイックリリース１０の回動レバー４１１を回転させて締め付ける過程においてフロントフォーク９０の妨害を受ける場合、ボタン５０を下方に押圧すると、ボタン５０のストッパリング５２が内ラチェット歯４４の上端に当接されてラチェット歯車５３を空転溝４５内に入れ、ボタン５０のラチェット歯車５３をレバー４０の内ラチェット歯４４から完全に離脱させることができる。この際、回動レバー４１１を反対方向に回転させることによってレバー４０を後方に空転させることができ、ボタン５０及び軸２０が反対方向に回転することがない。回動レバー４１１を反対方向に適当な角度回転させた後、ボタン５０を解放すると、戻しばね７０がボタン５０を押圧して復位させ、ボタン５０のラチェット歯車５３がレバー４０の内ラチェット歯４４上に係合され、ボタン５０の歯孔５４が軸２０の歯車２５上に挿設される。この際、回動レバー４１１を順方向に回転させると、レバー４０、ボタン５０及び軸２０を順方向に同期回転させることができ、軸２０の底端のねじ山２１３をナット８０に締め付けることができる。また、ボタン５０を押圧し、後方への空転動作を繰り返し行うことにより、軸２０をナット８０に完全に締め付けることができる。
【００１３】
図４及び図６に示すように、ボタン式で角度調整可能なクイックリリース１０の回動レバー４１１を締め付ける過程においてリアフォーク９１の妨害を受ける場合、ボタン５０を下方に押圧すると、ボタン５０のストッパリング５２が内ラチェット歯４４の上端に当接されてラチェット歯車５３を空転溝４５内に入れ、ボタン５０のラチェット歯車５３をレバー４０の内ラチェット歯４４から完全に離脱させることができる。この際、回動レバー４１１を反対方向に回転させることによってレバー４０を後方に空転させることができ、ボタン５０及び軸２０が反対方向に回転することがない。回動レバー４１１を反対方向に適当な角度回転させた後、ボタン５０を解放すると、戻しばね７０がボタン５０を押圧して復位させ、ボタン５０のラチェット歯車５３がレバー４０の内ラチェット歯４４上に係合され、ボタン５０の歯孔５４が軸２０の歯車２５上に挿設される。この際、回動レバー４１１を順方向に回転させると、レバー４０、ボタン５０及び軸２０を順方向に同期回転させることができ、軸２０の底端のねじ山２１３をナット８０に締め付けることができる。また、ボタン５０を押圧し、後方への空転動作を繰り返し行うことにより、軸２０をナット８０に完全に締め付けることができる。
なお、本発明の特徴を損なうものでなければ、上述した実施例に限定されるものでないことは勿論である。
【符号の説明】
【００１４】
１０  ボタン式で角度調整可能なクイックリリース
２０  軸
２１  中空ロッド
２１１  貫通孔
２１２  Ｃ型環状溝
２１３  ねじ山
２２  支持台係合リング
２３  レバー係合リング
２４  Ｃ型環状溝
２４１  Ｃ型リング
２５  歯車
３０  位置決め台
３１  貫通孔
３２  ストッパ縁
３３  Ｃ型環状溝
４０  レバー
４１  円筒体
４１１  回動レバー
４２  収容溝
４３  係合縁
４４  内ラチェット歯
４５  空転溝
５０  ボタン
５１  凸ボタン
５１１  ねじ孔
５２  ストッパリング
５３  ラチェット歯車
５４  歯孔
５４１  押圧面
６０  ねじ
７０  戻しばね
７１  ねじＣ型リング
７５  ワッシャ
８０  ナット
９０  フロントフォーク
９１  リアフォーク
【要約】
【課題】レバーの角度を任意の角度に調整することができるボタン式クイックリリースを提供する。
【解決手段】本発明のボタン式で角度調整可能なクイックリリース１０は、軸２０、位置決め台３０、レバー４０、ボタン５０、ねじ６０、戻しばね７０及びナット８０を含む。回動レバー４１を締め付ける過程においてフロントフォーク９０又はリアフォーク９１の妨害を受ける場合、ボタン５０を下方に押圧すると、ボタン５０のストッパリング５２が内ラチェット歯４４の上端を押圧し、ラチェット歯車５３を空転溝４５内に入れ、ボタン５０のラチェット歯車５３をレバー４０の内ラチェット歯４４から完全に離脱させることができる。この際、回動レバー４１１を回転させることによってレバー４０を空転させることができ、ボタン５０及び軸２０が回転することがないため、レバー４０の角度を任意の角度に調整することができる。
【選択図】図２【図１】
0005981613.tif 000002
【図２】
0005981613.tif 000003
【図３】
0005981613.tif 000004
【図４】
0005981613.tif 000005
【図５】
0005981613.tif 000006
【図６】
0005981613.tif 000007